(57)【要約】【課題】簡便な構造で設置及び維持に係わる費用や手間が少なく、駐車場の駐車位置や空きスペースの管理を行うことができる駐車場管理システムを提供する。【解決手段】第一の撮像装置１と第二の撮像装置４により撮像されたナンバープレートが、駐車すべきスペース以外で一致した場合に警告装置５により警告が発せられるが、警告装置５が駐車スペースの各々の区画に設けられていることで、駐車する車両の駐車位置や空きスペースをより確実に管理できる。また第二の撮像装置４が駐車スペースの各々の区画に設けられていることで、第一の撮像装置１により撮像されたナンバープレートと一対で照合するのみでよく、複雑な回路や管理センターを必要とすることなく設置や維持に係わる費用や手間は少なくて済むものとなり得る。【参照図】        図１【特許請求の範囲】
【請求項１】
駐車場への進入口に利用する車両のナンバープレートを撮像する第一の撮像装置と駐車すべき駐車スペースを表示する駐車場所表示装置とが設けられ、駐車スペースには各々の区画について車両のナンバープレートを撮像する第二の撮像装置と音声及び／又は発光による警告装置とが設けられ、前記第一の撮像装置と前記第二の撮像装置により撮像されたナンバープレートが、前記駐車すべきスペース以外において一致した場合に、前記警告装置により警告が発せられることを特徴とする駐車場管理システム。
【請求項２】
請求項１に記載の駐車場管理システムに用いられ、駐車場への進入口に設置される装置であって、第一の撮像装置、駐車場所表示装置及び車両検知センサーが一体に備えられたことを特徴とする車両誘導用装置。
【発明の詳細な説明】
【技術分野】
【０００１】
本発明は、駐車場を利用する車両の、駐車スペースへの誘導を行う駐車場管理システム及びそれに用いられる車両誘導用装置に関するものである。
【背景技術】
【０００２】
例えば特許文献１には、コンピュータを利用して駐車場の駐車利用を管理する駐車場管理システムであって、利用者を確認する利用者確認手段と、駐車利用した車両の駐車情報を確認する駐車情報確認手段と、前記利用者と駐車情報とを対応づけて記憶する記憶手段と、記憶した車両の駐車情報を利用者に提供する駐車情報提供手段と、を備えた駐車場管理システムが開示されている。
【０００３】
また特許文献２には、複数の駐車スペースが設けられかつ各駐車スペースには駐車車両をロックするロック装置が設けられた駐車場の１以上を集中管理する駐車場管理システムであって、駐車場には複数の駐車スペースを撮像可能な撮像手段が設けられ、各駐車場を集中管理する管理センターには各駐車場の撮像手段から出力された画像情報が出力され、当該管理センターはこれらの画像情報により個々の駐車場を管理することを特徴とする駐車場管理システムが開示されている。
【０００４】
【特許文献１】特開２００３−２３３８９８号公報
【特許文献２】特開２００３−１５７４５５号公報
【発明の開示】
【発明が解決しようとする課題】
【０００５】
しかしながら、特許文献１に記載の駐車場管理システムでは、利用者が任意の駐車スペースに駐車してしまうので、駐車場の駐車位置や空きスペースの管理を行って駐車場を有効に活用することが行い辛いものであった。
【０００６】
また特許文献２に記載の駐車場管理システムでは、駐車位置や空きスペースの管理を行うに当たり、複数の駐車スペースを撮像する撮像手段を用いていることで、警告を行うには管理センターや複雑な回路等を必要とするものであり、設置や維持に係わる費用や手間を多く要するものであった。
【０００７】
本発明は上記の如き課題に鑑みてなされたものであり、簡便な構造で設置及び維持に係わる費用や手間が少なく、駐車場の駐車位置や空きスペースの管理を行うことができる駐車場管理システムを提供せんとするものである。
【課題を解決するための手段】
【０００８】
上記課題を解決するため、本発明は以下のような構成としている。すなわち、本発明に係わる駐車場管理システムは、駐車場への進入口に利用する車両のナンバープレートを撮像する第一の撮像装置と駐車すべき駐車スペースを表示する駐車場所表示装置とが設けられ、駐車スペースには各々の区画について車両のナンバープレートを撮像する第二の撮像装置と音声及び／又は発光による警告装置とが設けられ、前記第一の撮像装置と前記第二の撮像装置により撮像されたナンバープレートが、前記駐車すべきスペース以外において一致した場合に、前記警告装置により警告が発せられることを特徴とするものである。
【０００９】
また本発明に係わる車両誘導用装置は、本発明請求項１に記載の駐車場管理システムに用いられ、駐車場への進入口に設置される装置であって、第一の撮像装置、駐車場所表示装置及び車両検知センサーが一体に備えられたことを特徴とするものである。
【発明の効果】
【００１０】
請求項１に記載の本発明に係わる駐車場管理システムによれば、第一の撮像装置と第二の撮像装置により撮像されたナンバープレートが、駐車すべきスペース以外で一致した場合に警告装置により警告が発せられるが、警告装置が駐車スペースの各々の区画に設けられていることで、駐車する車両の駐車位置や空きスペースをより確実に管理できる。また第二の撮像装置が駐車スペースの各々の区画に設けられていることで、第一の撮像装置により撮像されたナンバープレートと一対で照合するのみでよく、複雑な回路や管理センターを必要とすることなく設置や維持に係わる費用や手間は少なくて済むものとなり得る。
【００１１】
また請求項２に記載の本発明に係わる車両誘導用装置によれば、第一の撮像装置、駐車場所表示装置及び車両検知センサーが一体に備えられていることで、装置の設置に係わる作業を軽減し、また予め配線等を行っておくことができ、現地における配線等の複雑な作業を軽減することができ、容易に設置が可能なものとなり得る。
【発明を実施するための最良の形態】
【００１２】
本発明に係わる最良の実施の形態について、図面に基づき以下に具体的に説明する。
図１は、本発明に係わる実施の一形態を示すもので、駐車スペースへの車両の駐車までの経緯を示す平面図である。まず駐車場を利用しようと車道を走行してきた車両Ｃ１は、駐車場の進入口Ｅから駐車場に進入する。駐車場の進入口Ｅには、ＣＣＤカメラである第一の撮像装置１、電光表示板である駐車場所表示装置２及び赤外線センサーである車両検知センサー３が備えられた車両誘導用装置１０が配置され、車両検知センサー３と相対向して赤外線を反射する反射鏡Ｒが備えられて車両検知の精度が高められるようになされている。駐車場の進入口Ｅに進入してきた車両Ｃ２を車両検知センサー３が検知すると、第一の撮像装置１により車両Ｃ２のナンバープレートが撮像されると共に、駐車場所表示装置２が駐車すべき駐車スペースを表示する。
【００１３】
駐車スペースに進入してきた車両Ｃ３は駐車場所表示装置２への指示を基に駐車スペースに駐車しようとするが、例えば駐車場所表示装置２による指示が１番の駐車スペースに駐車するものだったとして、車両Ｃ４が３番の駐車スペースに駐車しようとすると、ＣＣＤカメラである第二の撮像手段４及びスピーカーである警告装置５を備えた撮像・警告装置２０が各々の駐車スペース毎に設けられ、１番の駐車スペースに駐車すべき車両Ｃ４が３番の駐車スペースに駐車しようとすると、第一の撮像手段１により撮像されたナンバープレートと、第二の撮像手段２により撮像されたナンバープレートとが一致した撮像・警告装置２０が異なるものである場合には、警告装置５によって車両Ｃ４の運転者に駐車スペースが異なることの警告が音声Ｓ１によりなされる。正しい駐車スペースに駐車した車両Ｃ５に対しては、警告ではない音声Ｓ２が発せられるが、音声Ｓ２は特に発せられなくてもよい。
【００１４】
図２は、本発明に係わる車両誘導用装置の一例を示す説明図である。車両誘導用装置１０は、立設された支柱６の上部に筺状の駐車位置表示装置２が取り付けられ、駐車位置表示装置２の下面から取付プレート１１及び３１が下方に向けて取り付けられ、取付プレート１１及び３１に第一の撮像装置１及び車両検知センサー３が取り付けられている。駐車位置表示装置２は、その表示面が乗用車の運転者の目線と同程度の高さとなされ、複数設けられた駐車位置表示２１の内、指定する駐車位置の部位が点灯又は点滅することで駐車を希望する車両の運転者に対し駐車スペースを指定する。駐車位置表示装置２はスピーカーとして音声により駐車位置を指定するものでもよく、それらを併用するものであってもよい。また第一の撮像装置１及び車両検知センサー３は、駐車位置表示装置２より低い位置に設けられていることで、車高の低い車両も確実に検知できるようになされている。
【００１５】
これらの第一の撮像装置１、駐車位置表示装置２及び車両検知センサー３が一体となされていることで、支柱６を立設するのみで設置が可能となるのに加え、第一の撮像装置１及び車両検知センサー３と駐車位置表示装置２との配線を予め行っておくことができ、現地で設置する作業者が配線に関する知識がなくとも設置が可能となり得る。尚、ナンバープレートの記憶回路や、警告装置により行われる警告の制御装置についても、駐車位置表示装置２内に収納してもよい。
【００１６】
図３は、図１に示した撮像・警告装置２０の一例を示す説明図である。駐車される車両Ｃ５毎、すなわち駐車スペース毎に設けられた撮像・警告装置２０は、断面矩形のポール状となされ、第二の撮像装置４及び警告装置５が一体に組み込まれているものである。その前面には駐車スペースの番号を示した表示板７が設けられ、路面に標示されているのみの場合より駐車スペースの番号が把握しやすくなされている。警告装置４は回転灯、点滅灯、電光掲示板などの発光を利用するものであってもよく、それらと音声を併用するものであってもよい。
【図面の簡単な説明】
【００１７】
【図１】本発明に係わる駐車場管理システムの、実施の一形態を示す平面図である。
【図２】本発明に係わる車両誘導用装置の一例を示す説明図である。
【図３】図１に示した撮像・警告装置の一例を示す説明図である。
【符号の説明】
【００１８】
１    第一の撮像装置
２    駐車位置表示装置
３    車両検知センサー
４    第二の撮像装置
５    警告装置
１０  車両誘導用装置
【図１】
2005084719.tif 000002
【図２】
2005084719.tif 000003
【図３】
2005084719.tif 000004